(57)【要約】【課題】  トレーの薄形化を阻害したり径大ディスクの記録領域を損傷したりするおそれがなく、必要部品点数の増加を伴うことなく、径小ディスクの外周部端面に対する掛り代を増大させて径小ディスクの位置ずれを防ぐ。【解決手段】  第１及び第２の各支持部３０，４０が支持面３１，４１と立上り面３２，４２とを有する。径小ディスクＤ１に対応している第１支持部３０の立上り面３２の上端位置が、径大ディスクＤ２に対応している第２支持部４０の支持面４１よりも低位に位置している。第１支持部３０の外周部分に樹脂で肉盛り部分６０を成形することにより、その肉盛り部分６０の内周面６１を第１支持部３０の立上り面３２に面一に連続させてその立上り面３２を増高させる。肉盛り部分６０の頂面６２を第２支持部４０の支持面４１よりも低位に位置させてある。【選択図】        図２
2009217893.tif 000002
【特許請求の範囲】
【請求項１】
直径の異なる２種類のディスクのそれぞれの外周部が載架される第１及び第２の２つの円環状の支持部を同心位置の２箇所に有し、第１及び第２の各支持部が、ディスクの外周部下面が載架される支持面とディスクの外周部端面に当接してそのディスクの位置ずれを阻止する立上り面とを有し、径小ディスクに対応している上記第１支持部の上記立上り面の上端位置が、径大ディスクに対応している上記第２支持部の支持面よりも低位に位置していて、径小ディスクを挟持して上記第１支持部から浮き上がらせているクランプ機構のクランプ状態が解除される動作に伴って、そのクランプ機構から離脱した径小ディスクの外周部下面が上記第１支持部の支持面に受け渡されるように構成されているディスク装置のトレーであって、
上記第１支持部の外周部分に、当該トレーと一体に樹脂で肉盛り部分を成形することにより、その肉盛り部分の内周面を上記第１支持部の立上り面に面一に連続させてその立上り面を増高してあると共に、上記肉盛り部分の頂面を上記第２支持部の支持面よりも低位に位置させてあることを特徴とするディスク装置のトレー。
【請求項２】
上記肉盛り部分の頂面を、上記第２支持部に外周部下面が載架された径大ディスクの下面に当接しない位置に定めてある請求項１に記載したディスク装置のトレー。
【請求項３】
上記肉盛り部分が円環状に形成されている請求項１又は請求項２に記載したディスク装置のトレー。
【請求項４】
上記肉盛り部分の内周面による上記立上り面の増高幅が、上記立上り面の全周部分で同一寸法に定められている請求項１ないし請求項３のいずれか１項に記載したディスク装置のトレー。
【請求項５】
第１及び第２の上記各支持部が薄板状の底板部の内側と外側とに連設されていて、上記肉盛り部分がその頂面から外側へ延び出て上記底板部の上面に連続する下がり勾配の環状傾斜面を有している請求項１ないし請求項４のいずれか１項に記載したディスク装置のトレー。
【発明の詳細な説明】
【技術分野】
【０００１】
本発明は、ディスク装置のトレー、特に、直径の異なる２種類のディスクを使用対象としているディスク装置において、ディスク装置が水平姿勢に対して傾斜しているとしても、クランプ機構によってトレーに受け渡された径小ディスクがその正規の受渡し位置から位置ずれすることを防ぐための対策が講じられているトレーに関する。
【背景技術】
【０００２】
図３に一般的なディスク装置を概略的に斜視図で示してあり、このディスク装置の概略構成を説明する。このディスク装置は、機体フレーム１０にトレー２０が出入り可能に組み付けられていて、このトレー２０に載架された記録媒体としてのディスクが、機体フレーム１０の内部と外部との間で搬入（ローディング）又は搬出（アンローディング）されるようになっている。そして、ローディングされたディスクが、図示していないクランプ機構により挟持されてトレー２０から持ち上げられ、その状態でディスクが回転して、その回転中にディスクの記録面が光ピックアップなどの作用を通じて光学的に処理されて情報の記録や再生が行われる。
【０００３】
この種のディスク装置において、直径の異なる２種類のディスクを使用対象としているものでは、トレー２０に第１及び第２の２つの円環状の支持部３０，４０が同心位置の２箇所に形成されていて、径小ディスクの外周部が第１支持部３０に載架され、径大ディスクの外周部が第２支持部４０に載架されるようになっている。
【０００４】
図４は円盤形のディスク１００を記録面側から見た平面図である。同図のように、ディスク１００は、中心孔１１０の周囲と外周部との２箇所に非記録領域１２１，１２２を有し、それらの非記録領域１２１，１２２の間の環状領域に記録領域１２３が割り当てられていて、記録領域１２３が傷付きなどによって損傷すると、ディスク１００についての記録再生性能が低下する。このため、ディスク１００の外周部分の非記録領域１２２を利用してディスク１００を図３に示したトレー２０に載架するようになっている。また、直径Ｄの異なる２種類のディスク１００において、径小ディスクでは直径Ｄが８ｃｍ、径大ディスクでは直径Ｄが１２ｃｍに規格化されている。したがって、直径Ｄが８ｃｍの径小ディスクでは、その外周部分の非記録領域１２２が図３に示したトレー２０の内側の第１支持部３０に載架されて支持されるのに対し、直径Ｄが１２ｃｍの径大ディスクでは、その外周部分の非記録領域１２２が図３に示したトレー２０の外側の第２支持部４０に載架されて支持される。
【０００５】
図５は従来例としてのトレー２０の概略平面図、図６は図５のＶＩ−ＶＩ線に沿う部分の拡大断面図である。図５又は図６のように、第１支持部３０は、径小ディスクＤ１の外周部下面（具体的には上記した非記録領域１２２の形成面）が載架される支持面３１と径小ディスクＤ１の外周部端面１２４に当接してその径小ディスクＤ１の位置ずれを阻止する円筒形の立上り面３２とを有している。同様に、第２支持部４０は、径大ディスクＤ２の外周部下面（具体的には上記した非記録領域１２２の形成面）が載架される支持面４１と径大ディスクＤ２の外周部端面１２４に当接してその径大ディスクＤ２の位置ずれを阻止する円筒形の立上り面４２とを有している。そして、第１及び第２の各支持部３０，４０のそれぞれの円筒形の立上り面３２，４２の直径が、それらに対応するディスク１００の直径よりもやゝ長くなっていて、各支持部３０，４０へのディスク１００の嵌脱が容易に行われるようになっている。また、径小ディスクＤ１に対応している第１支持部３０の立上り面３２の上端位置が、径大ディスクＤ２に対応している第２支持部４０の支持面４１よりも低位に位置していることにより、第２支持部４０に載架された径大ディスクＤ２の記録領域１２３（図４参照）がトレー２０の平坦な上面２１に非接触状態に保たれてその傷付きなどによる損傷が防止されるようになっている。
【０００６】
ところで、ディスク装置にあっては、既述したように、トレーに載架されてローディングされたディスクは、クランプ機構により挟持されてトレーから持ち上げられ、その状態でディスクが回転して、その回転中にディスクの記録面が光ピックアップなどの作用を通じて光学的に処理されて情報の記録や再生が行われる。また、クランプ機構によるディスクのクランプ状態が解除される動作に伴ってディスクがトレーに受け渡される。
【０００７】
図７はクランプ機構５０により径小ディスクＤ１がトレー２０から持ち上げられてクランプされている状態を示した説明図、図８はクランプ機構５０によるディスクのクランプ状態が解除される動作に伴って径小ディスクＤ１がトレー２０に受け渡された状態を示した説明図である。図７又は図８によって判るように、クランプ機構５０は、径小ディスクＤ１のローディング位置の下側で待機しているターンテーブル５１と、上記ローディング位置の上側で待機しているクランパ５３とを有していて、ターンテーブル５１がモータ５２によって回転駆動されるようになっている。このようなクランプ機構５０は次のように動作する。径小ディスクＤ１がトレー２０に載架されてローディング位置まで搬入されると、図７矢印Ａのようにターンテーブル５１が上動してトレー２０に載架されている径小ディスクＤ１を受け取った後、その径小ディスクＤ１をクランパ５３との間で挟持する。また、ターンテーブル５１が下動することによってクランプ機構５０による径小ディスクＤ１のクランプ状態が解除され、図８矢印Ｂに示したように、その後のターンテーブル５１の下動により径小ディスクＤ１をターンテーブル５１からトレー２０に受け渡す。そして、クランプ機構５０のクランプ状態が解除される動作に伴ってターンテーブル５１からトレー２０に受け渡された径小ディスクＤ１は、図４に示した非記録領域１２２を形成している外周部下面が第１支持部３０の支持面３１に載架される。このため、トレー２０に受け渡された径小ディスクＤ１は図８のように第１支持部３０に遊嵌合された状態になる。
【０００８】
ここで、図６に示したように、第１支持部３０の深さ、すなわち支持面３１からの立上り面３２の立上り高さＨは、径小ディスクＤ１の厚さよりも短い寸法になっていて、そうすることによりトレー２０の薄形化ひいてはディスク装置全体の薄形化を図っている。
【０００９】
一方、直径の異なる２種類のディスクを使用対象にしているトレーの薄形化を図るための対策として、トレーに貼り付けたパッドによって径大ディスクを支持することが提案されている（たとえば、特許文献１参照）。
【００１０】
特許文献１によって提案されている技術をトレーに適用した事例を図９及び図１０に示してある。図９は当該事例に係るトレーの概略平面図、図１０は当該事例に係るトレーの要部の拡大断面図である。図９及び図１０のように、特許文献１によって提案されている技術を適用したトレー２００では、径小ディスクの支持部２１０の外側複数箇所にパッド２２０が貼り付けられ、これらのパッド２２０に径大ディスクＤ２が載架されるようになる。
【特許文献１】特開２００２−２３０９３９号公報
【発明の開示】
【発明が解決しようとする課題】
【００１１】
上記したように、従来のディスク装置では、上記のように、第１支持部３０の立上り面３２の立上り高さＨを、径小ディスクＤ１の厚さよりも短い寸法に定めてトレー２０の薄形化ひいてはディスク装置全体の薄形化を図っていることにより、径小ディスクＤ１の外周部端面１２４に対する立上り面３２の掛り幅（立上り面３２の立上り高さに相当する）を十分に大きく確保することに困難があった。そのため、ディスク装置が水平姿勢に対して傾斜しているためにトレー２０も傾斜しているようなときには、クランプ機構５０のクランプ状態が解除される動作に伴ってターンテーブル５１からトレー２０に受け渡された径小ディスクＤ１の外周部端面１２４が立上り面３２に引掛かることなくその立上り面３２を乗り越えてしまうという事態の生じることがあった。そして、そのような事態が生じると、径小ディスクＤ１がトレー２０の正規位置（径小ディスクＤ１の全体が円環状の第１支持部３０に嵌合する位置）から位置ずれしてしまい、トレー２０が機体フレーム１０の外部に搬出（アンローディング）される動作の途中で径小ディスクＤ１が機体フレーム１０などに引掛かって動作不良を起こしたりすることがある。
【００１２】
そこで、第１支持部３０の支持面３１の位置を下げて立上り面３２の支持面３１からの立上り高さＨを高くすることが有効であるけれども、そのようにすると、トレー２０ひいてはディスク装置全体の薄形化が阻害されるおそれがある。
【００１３】
この点に関し、特許文献１によって提案されている技術を適用して得られる図９又は図１０に示したトレー２００にあっては、図１０に示したように、径小ディスクの支持部２１０の立上り面２１２の支持面２１１からの立上り高さＨ１がパッド２２０の厚さ分Ｔだけ増高されるために、径小ディスクを支持面２１１に載架したときに、径小ディスクＤ１の外周部端面に対する掛り代が大きくなって径小ディスクの位置ずれを防ぐことが可能になる。しかしながら、図９又は図１０に示したトレー２００では、パッド２２０が余分に必要になるために必要部品点数が増えて組立て工程が煩雑になるだけでなく、径大ディスクＤ２の記録領域がパッド２２０に接触するために、パッド２２０に柔軟な素材を用いたとしても、記録領域が傷付きなどの損傷を受けるおそれがある。
【００１４】
本発明は、以上の状況の下でなされたものであり、トレーの薄形化を阻害したり径大ディスクの記録領域を損傷したりするおそれがないにもかかわらず、また、必要部品点数の増加を伴うことなく、径小ディスクの外周部端面に対する掛り代を増大させて径小ディスクの位置ずれを防ぐことのできるディスク装置のトレーを提供することを目的とする。
【課題を解決するための手段】
【００１５】
本発明に係るディスク装置のトレーは、直径の異なる２種類のディスクのそれぞれの外周部が載架される第１及び第２の２つの円環状の支持部を同心位置の２箇所に有し、第１及び第２の各支持部が、ディスクの外周部下面が載架される支持面とディスクの外周部端面に当接してそのディスクの位置ずれを阻止する立上り面とを有し、径小ディスクに対応している上記第１支持部の上記立上り面の上端位置が、径大ディスクに対応している上記第２支持部の支持面よりも低位に位置していて、径小ディスクを挟持して上記第１支持部から浮き上がらせているクランプ機構のクランプ状態が解除される動作に伴って、そのクランプ機構から離脱した径小ディスクの外周部下面が上記第１支持部の支持面に受け渡されるように構成されている。そして、上記第１支持部の外周部分に、当該トレーと一体に樹脂で肉盛り部分を成形することにより、その肉盛り部分の内周面を上記第１支持部の立上り面に面一に連続させてその立上り面を増高してあると共に、上記肉盛り部分の頂面を上記第２支持部の支持面よりも低位に位置させてある。
【００１６】
この構成であると、径小ディスクの外周部端面に対する掛り代が、第１支持部の立上り面の立上り高さが、肉盛り部分の内周面によって増高されているために、トレーの薄形化を阻害することなく、径小ディスクの外周部端面に対する掛り代が第１支持部の立上り面だけの場合よりも増大して径小ディスクの位置ずれを防ぐことができるようになる。また、肉盛り部分の頂面が、第２支持部の支持面よりも低位に位置しているので、径大ディスクの外周部下面が第２支持部の支持面に載架されても、肉盛り部分が径大ディスクの記録領域に接触してそれを傷付けて損傷するといったおそれがない。さらに、肉盛り部分はトレーと一体に樹脂で成形されているので、必要部品点数が増大して組立て工程が煩雑になるという事態も起こらない。この作用は、上記肉盛り部分の頂面を、上記第２支持部に外周部下面が載架された径大ディスクの下面に当接しない位置に定めてあることによって奏される。
【００１７】
本発明では、上記肉盛り部分が円環状に形成されていることが望ましい。このように肉盛り部分が円環状に形成されていると、第１支持部の立上り面に面一に連続する肉盛り部分の内周面も円環状になるために、トレーがどの方向に傾斜していても、第１支持部の立上り面と肉盛り部分の内周面とが径小ディスクの位置ずれを防ぐことに役立つという利点がある。この作用は、上記肉盛り部分の内周面による上記立上り面の増高幅が、上記立上り面の全周部分で同一寸法に定められていることによっていっそう確実に発揮される。
【００１８】
本発明では、第１及び第２の上記各支持部が薄板状の底板部の内側と外側とに連設されていて、上記肉盛り部分がその頂面から外側へ延び出て上記底板部の上面に連続する下がり勾配の環状傾斜面を有していることが望ましい。肉盛り部分をトレーと一体に樹脂で成形すると、トレーに加わる荷重がその肉盛り部分の根元に集中して割れやすくなることが考えられるけれども、この発明のように構成しておくと、肉盛り部分の根元での荷重の集中が抑制されてトレーの底板部が割れにくくなる。したがって、底板部の薄肉化を促進してトレーの薄形化を図りやすくなる。
【発明の効果】
【００１９】
以上のように、本発明によれば、トレーの薄形化を阻害したり径大ディスクの記録領域を損傷したりするおそれがないにもかかわらず、必要部品点数の増加を伴うことなく、径小ディスクの外周部端面に対する掛り代を増大させて径小ディスクの位置ずれを防ぐことが可能になるので、トレーを薄形化しても、径小ディスクがトレー上で位置ずれしてトレーの搬入出動作の円滑性が損なわれることがなくなるという効果が奏される。
【発明を実施するための最良の形態】
【００２０】
図１は本発明の実施形態であるトレー２０の概略平面図、図２は図１のＩＩ−ＩＩ線に沿う部分の拡大断面図である。
【００２１】
このトレー２０の基本構成は、図５又は図６を参照して説明した従来例と同様である。したがって、図１又は図２のように、第１支持部３０は、径小ディスクＤ１の外周部下面（図４に示した非記録領域１２２の形成面）が載架される支持面３１と径小ディスクＤ１の外周部端面１２４に当接してその径小ディスクＤ１の位置ずれを阻止する円筒形の立上り面３２とを有している。同様に、第２支持部４０は、径大ディスクＤ２の外周部下面（図４に示した非記録領域１２２の形成面）が載架される支持面４１と径大ディスクＤ２の外周部端面１２４に当接してその径大ディスクＤ２の位置ずれを阻止する円筒形の立上り面４２とを有している。そして、第１及び第２の各支持部３０，４０のそれぞれの円筒形の立上り面３２，４２の直径が、それらに対応するディスク１００の直径よりもやゝ長くなっていて、各支持部３０，４０へのディスク１００の嵌脱が容易に行われるようになっている。また、径小ディスクＤ１に対応している第１支持部３０の立上り面３２の上端位置が、径大ディスクＤ２に対応している第２支持部４０の支持面４１よりも低位に位置していることにより、第２支持部４０に載架された径大ディスクＤ２の記録領域１２３（図４参照）がトレー２０の平坦な上面２１に非接触状態に保たれてその傷付きなどによる損傷が防止されるようになっている。
【００２２】
この実施形態では、第１及び第２の各支持部３０，４０がトレー２０の薄板状の底板部２２の内側と外側とに連設されていて、この底板部２２の上面が上記した平坦な上面２１に相当している。
【００２３】
この実施形態では、上記した基本構成に追加して、第１支持部３０の外周部分に、当該トレー２０と一体に樹脂で円環状の肉盛り部分６０を成形してある。この肉盛り部分６０は、その内周面６１を上記立上り面３２に面一に連続させてある。また、肉盛り部分６０の頂面６２は円環状の平坦面であって、その頂面６２を第２支持部４０の支持面４１よりも低位に位置させてある。言い換えると、肉盛り部分６０の頂面６２を、第２支持部４０に外周部下面が載架された径大ディスクＤ２の下面に当接しない位置に定めてある。
【００２４】
肉盛り部分６０をこのように構成しておくと、図２に示したように、肉盛り部分６０の厚さ分Ｔ１が立上り面３２の立上り高さＨに追加されるために、実質的には、立上り面２２の全周部分でその立上り面３２が肉盛り部分６０の厚さ分Ｔ１だけ増高される。このため、第１支持部３０に嵌合されてその支持面３１に載架されている径小ディスクＤ１の外周部端面１２４に対する掛り代が、立上り面３２の立上り高さＨと肉盛り部分６０の厚さ分Ｔ１とを合わせた寸法になるために、クランプ機構のクランプ状態が解除される動作に伴って一旦第１支持部３０に嵌合された径小ディスクＤ１が肉盛り部分６０を乗り越えて正規位置から位置ずれするという事態が起こりにくくなる。この作用は、トレー２０が水平姿勢を保っているときは勿論、水平姿勢に対してどの方向に傾斜しているときでも発揮される。このため、トレー２０が機体フレーム１０の外部に搬出（アンローディング）される動作の途中で径小ディスクＤ１が機体フレーム１０などに引掛かって動作不良を起こしたりすることが防止される。
【００２５】
この実施形態によると、上記のようにトレー２０が傾斜しているときの径小ディスクＤ１の正規位置からの位置ずれが防止できるだけでなく、肉盛り部分６０の頂面６２やトレー２０の底板部２２の上面２１が、第２支持部４０に外周部下面が載架された径大ディスクＤ２の下面に当接しない構成になっているので、クランプ機構によって挟持されてトレー２０から持ち上げられた径大ディスクＤ２が回転中に面振れしても、その径大ディスクＤ２が肉盛り部分６０の頂面６２やトレー２０の底板部２２の上面２１と擦れて性能上の不都合を生じるおそれはない。
【００２６】
さらにこの実施形態では、図２のように、肉盛り部分６０がその頂面６２から外側へ延び出て底板部２２の上面２１に連続する下がり勾配の環状傾斜面６３を有している。このため、肉盛り部分６０を底板部２２の上面２１から直角に立ち上げているものに比べると、肉盛り部分６０の根元での荷重の集中度合が少なくなる。そのため、肉盛り部分６０の根元でトレー２０の底板部２２が割れるという事態が起こりにくい。併せて、肉盛り部分６０が第１支持部３０を補強する補強リブとしての作用も発揮するので、トレー２０の肉厚を薄くしても第１支持部３０に必要な強度を付与しやすくなるという利点がある。特に、この実施形態では、環状傾斜面６３と底板部２２の上面２１との開き角度θを１３５度よりも大きい鈍角に定めてある。こうしておくと、環状傾斜面６３と底板部２２の上面２１とが見かけ上ではほゞ水平に連続するようになり、底板部２２の肉厚が薄くても、肉盛り部分６０の根元でトレー２０の底板部２２が割れるという事態が起こりにくい。なお、環状傾斜面６３と底板部２２の上面２１との開き角度θは１８０度に近いほど好ましいのであるけれども、あまりに１８０度に近付けてしまうと、底板部２２を実質的に増厚することになってしまって肉盛り部分６０の補強リブとしての作用を得にくくなる。
【００２７】
なお、図１〜図８では説明内容を理解しやすくすることを目的として、同一又は相応する部分に同一符号を付してある。
【図面の簡単な説明】
【００２８】
【図１】本発明の実施形態であるトレーの概略平面図である。
【図２】図１のＩＩ−ＩＩ線に沿う部分の拡大断面図である。
【図３】一般的なディスク装置の概略斜視図である。
【図４】ディスクを記録面側から見た平面図である。
【図５】従来例としてのトレーの概略平面図である。
【図６】図５のＶＩ−ＶＩ線に沿う部分の拡大断面図である。
【図７】クランプ機構により径小ディスクがクランプされている状態を示した説明図である。
【図８】径小ディスクがトレーに受け渡された状態を示した説明図である。
【図９】特許文献１で示されている技術を適用したトレーの概略平面図である。
【図１０】特許文献１で示されている技術を適用したトレーの要部の拡大断面図である。
【符号の説明】
【００２９】
２０  トレー
２２  底板部
３０  第１支持部
３１，４１  支持面
３２，４２  立上り面
４０  第２支持部
５０  クランプ機構
６０  肉盛り部分
６１  肉盛り部分の内周面
６２  肉盛り部分の頂面
６３  環状傾斜面
１００  ディスク
１２４  ディスクの外周部端面
Ｄ１  径小ディスク
Ｄ２  径大ディスク
【図１】
2009217893.tif 000003
【図２】
2009217893.tif 000004
【図３】
2009217893.tif 000005
【図４】
2009217893.tif 000006
【図５】
2009217893.tif 000007
【図６】
2009217893.tif 000008
【図７】
2009217893.tif 000009
【図８】
2009217893.tif 000010
【図９】
2009217893.tif 000011
【図１０】
2009217893.tif 000012